(57)【特許請求の範囲】
【請求項１】
座部と該座部の左右両側に肘掛け部とを設けると共に、座部と左右両側の肘掛け部との間に、着座した被施療者の大腿部を施療する大腿部施療機構をそれぞれ具備した椅子式施療機であって、
各大腿部施療機構は、大腿部に向けて突出した大腿部施療体と、該大腿部施療体を回転施療駆動させつつ大腿部の長さ方向において移動させるための駆動部とを備えると共に、当該大腿部施療機構を、大腿部の幅方向において移動させるよう構成し、
前記大腿部施療体をボール状とすると共に、当該大腿部施療体を、前記駆動部を構成するピニオンの軸芯先端部に固設したことを特徴とする椅子式施療機。
【請求項２】
前記大腿部施療機構をフレームからなる揺動体に装設し、当該揺動体の下端に揺動軸を配して、大腿部の幅方向において移動させるよう構成したことを特徴とする請求項１記載の椅子式施療機。
【請求項３】
前記大腿部施療体を、前記肘掛け部の幅方向において揺動する揺動体とし、当該肘掛け部前端に揺動軸を設けて、当該揺動軸を軸として、被施療者の大腿部側面に向かって揺動させることを特徴とする請求項１又は請求項２の何れかに記載の椅子式施療機。
【請求項４】
前記大腿部施療体をボール形状とすると共に偏心回転するよう構成し、被施療者の大腿部表面を押圧施療することを特徴とする請求項１、請求項２、又は請求項３の何れかに記載の椅子式施療機。
【請求項５】
前記大腿部施療体の内部構成として、内層部に複数の硬質揉み玉を配すると共に、その外層部にそれよりも比較的軟らかい軟質ボール体を被覆し、当該大腿部施療体を傾斜回転するよう構成したことを特徴とする請求項１、請求項２、請求項３、又は請求項４の何れかに記載の椅子式施療機。
【発明の詳細な説明】
【技術分野】
【０００１】
本発明は、被施療者の大腿部や臀部における施療範囲の分散または拡大を図ると共に、被施療者の施療部位における形状の個人差に対応できるようにした椅子式施療機に関するものである。
【背景技術】
【０００２】
従来の椅子式施療機は、主として背凭れ部に昇降自在に設けた施療子の動作により被施療者の背中に押圧刺激を与える構成のものとなっており、また、座部の前方で出没する足載せ部を設けて、該足載せ部に施療子或いはエアバッグ等の膨縮袋を内装し、該足載せ部に載置した被施療者の脛部に施療を施すことができるようにしたものも市場でよく見られている。
【０００３】
さらに最近では、被施療者の臀部側面から大腿部にかけて施療が可能な椅子式施療機も開示されている。例えば被施療者の大腿部の上側部を施療するものとして、図１４に示すように被施療者が腰掛ける座部２の一側面に設けられた背凭れ部３と、背凭れ部３に隣接する座部２両側に設けられた肘掛部４と、肘掛部４の内側に設けられ、被施療者の太腿１９の上側部を押圧する太腿マッサージユニット６とを備えた椅子式施療機が開発されている。
【０００４】
前記太腿マッサージユニット６は、肘掛部４の内側に設けられ、座部２側へ回動自在に支持された支持アーム７と、支持アーム７と肘掛部４との間に配置された第１エアバッグ８と、支持アーム７の反肘掛部４側の面に配置された施療指１０とを備えたものとしている。
【０００５】
そして、前記支持アーム７が座部２側へ回動することにより前記施療指１０は被施療者１の太腿１９の上側部に当接し、この状態で前記第１エアバッグ８の膨張と収縮を繰り返すことにより、太腿１９の上側に存在する多数のつぼを施療指１０により刺激することができるため、太腿１９のマッサージ効果を向上させることができるものとして開示がなされている。
【特許文献１】特開２００５−２２４２５６号公報（第６頁の図１）
【発明の開示】
【発明が解決しようとする課題】
【０００６】
ところで、被施療者の臀部や大腿部を施療する構成の従来の椅子式施療機では、常時所定の同じ施療部位を押圧するものとなっている。
【０００７】
このため、被施療者に対しては、単調な施療感となるだけでなく、同じ部位を集中継続的に押圧して施療部位の筋肉を痛めてしまうという問題がある。
【０００８】
また、特に各々の被施療者の大腿部の太さや長さ方向の外形ラインの個人差は比較的大きく、各被施療者に適応した大腿部における施療を実施するにあたっては、改善を要する課題となっていた。
【０００９】
そこで、本発明は、上記問題点を解消する為に成されたものであり、従来のような被施療者の大腿部や臀部における一局集中型の施療形態ではなく、施療部位を移行しながら施療を実施して施療範囲の分散または拡大を図る共に、各被施療者の大腿部形状における個人差にも対応できるようにした椅子式施療機を提供する事を目的とするものである。
【課題を解決するための手段】
【００１０】
すなわち、本発明の椅子式施療機は、座部と該座部の左右両側に肘掛け部とを設けると共に、座部と肘掛け部との間に着座した被施療者の大腿部を施療する大腿部施療機構を具備した椅子式施療機であって、大腿部施療機構は大腿部に向けて突出した大腿部施療体と、該大腿部施療体を回転施療駆動させつつ大腿部の長さ方向において移動させるための駆動部とを設けたものとしている。
【００１１】
さらに、本発明の椅子式施療機は、前記大腿部施療機構を大腿部の幅方向において移動させるよう構成したものとしている。
【００１２】
また、本発明の椅子式施療機は、前記大腿部施療体をボール形状としたものとしている。
【００１３】
さらにまた、本発明の椅子式施療機は、前記大腿部施療体を偏心回転するよう構成したものとしている。
【００１４】
さらに、本発明の椅子式施療機は、前記大腿部施療体を傾斜回転するよう構成したものとしている。
【発明の効果】
【００１５】
よって、本発明の椅子式施療機は、座部と該座部の左右両側に肘掛け部とを設けると共に、座部と肘掛け部との間に着座した被施療者の大腿部を施療する大腿部施療機構を具備した椅子式施療機であって、大腿部施療機構は大腿部に向けて突出した大腿部施療体と、該大腿部施療体を回転施療駆動させつつ大腿部の長さ方向において移動させるための駆動部とを設けたものとしているため、従来のような被施療者の大腿部や臀部における一局集中型施療形態がもたらす単調な施療感や、同じ部位を集中継続的に押圧して施療部位の筋肉を痛める危険性などの問題を解消することが可能となり、大腿部施療体が施療部位を移行しつつ施療を実施して被施療者の施療範囲の分散または拡大を図ることができる。
【００１６】
また、この被施療者の施療範囲の分散または拡大により、各被施療者の大腿部形状における個人差があっても、大腿部に対する施療効果の付与率を高められ、従来よりも被施療者の大腿部形状における個人差にも対応したものとなる。
【００１７】
さらに、本発明の椅子式施療機は、前記大腿部施療機構を大腿部の幅方向において移動させるよう構成したものとしているため、各被施療者の大腿部、また臀部幅の太さにおける個人差にもそれぞれ対応でき、大腿部施療体は各被施療者の臀部から大腿部の長さ方向における外形ラインに沿いつつ移行して適確な施療を実施することができる。
【００１８】
また、本発明の椅子式施療機は、前記大腿部施療体をボール形状としたものとしているため、被施療者の施療部位表面を柔和に押圧施療することができる。
【００１９】
さらにまた、本発明の椅子式施療機は、前記大腿部施療体を偏心回転するよう構成したものとしているため、被施療者の施療部位に対し摺擦施療を実施することができる。
【００２０】
さらに、本発明の椅子式施療機は、前記大腿部施療体を傾斜回転するよう構成したものとしているため、被施療者の施療部位に対する揉み施療を実施できるものとなる。
【発明を実施するための最良の形態】
【００２１】
以下に、本発明の椅子式施療機を、図面に示す一実施形態に基づきこれを詳細に説明する。
図１は本発明の椅子式施療機の一実施形態を示す斜視図であり、図２は本発明の椅子式施療機の一実施形態を示す使用状態図であり、図３は本発明の椅子式施療機の一実施形態を示す平面説明図であり、図４は本発明の椅子式施療機における大腿部施療機構の一実施形態を示す平面説明図であり、図５は本発明の椅子式施療機における大腿部施療機構の一実施形態を示す側面説明図であり、図６は本発明の椅子式施療機における大腿部施療機構の大腿部施療体に関する一実施形態を示す破断説明図であり、図７乃至図９は本発明の椅子式施療機における大腿部施療機構の大腿部施療体の動作に関する一実施形態を示す破断説明図であり、図１０は本発明の椅子式施療機における肘掛け部内部に設けた大腿部施療機構の一実施形態を示す正面破断説明図であり、図１１は本発明の椅子式施療機における肘掛け部内部に設けた大腿部施療機構の突出動作に関する一実施形態を示す正面破断説明図であり、図１２は本発明の椅子式施療機における大腿部施療機構を肘掛け部内部に収納させた状態の一実施形態を示す正面破断説明図であり、図１３は本発明の椅子式施療機における肘掛け部内部に設けた大腿部施療機構の幅方向における揺動動作に関する一実施形態を示す平面説明図であり、図１４は従来技術を示す参考図である。
【００２２】
すなわち、本発明の椅子式施療機は図１及び図２の実施例で示したように、座部１１ａと共に、該座部１１ａの後側にリクライニング可能に連結する背凭れ部１２ａと、座部１１ａの前端において前後へ出没可能に連結した足載せ部１３ａとから構成した椅子式施療機１ａである。
【００２３】
また、この椅子式施療機１ａには、前記座部１１ａの左右両側に肘掛け部１４ａを立設すると共に、前記背凭れ部１２ａの左右両側に前方に向かって突出した側壁部２ａを夫々配設している。
【００２４】
さらに、この椅子式施療機１ａには、図１に示すように、前記背凭れ部１２ａにおいて、その中央部に左右一対の施療子３１ａを備えた昇降自在の施療子機構３ａが設けられている。
【００２５】
前記施療子機構３ａは、前記背凭れ部１２ａの内部左右に設けた左右一対のガイドレール３２ａに沿って背凭れ部１２ａの上端から下端にかけて昇降するようにしている。
【００２６】
ところで、前記左右一対の施療子３１ａは、モータ等を駆動源とした機械式の施療機構であり、前記背凭れ部１２ａに凭れた被施療者の首部、背部、腰部、臀部等の背面全域を、たたき、揉み、ローリング、振動、指圧などの多様な形態で施療することができるようにしたものである。
【００２７】
また、前記椅子式施療機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａは前記座部１１ａの下部空間に配備している。
【００２８】
そして、前記空気給排装置４１ａによる各前記膨縮袋４ａの膨縮動作によって、被施療者の所定の施療部位を押圧、指圧等を実施する事ができ、一定間隔を存して対向するよう複数の膨縮袋４ａを対設させる場合、挟圧等の施療も行う事ができる。また膨縮袋４ａを膨張状態に保った状態にした場合は、被施療者の所定の部位を一定の時間保持する事も可能としている。
【００２９】
また、前記椅子式施療機１ａは、前記背凭れ部１２ａの左右側において、上部及び下部に夫々膨縮袋４ａを設けており、被施療者の背中及び腰部を押圧、または左右両側から挟圧するような施療を行うよう構成している。
【００３０】
また、前記座部１１ａには、後部側に臀下部用、また腿部用の膨縮袋４ａを夫々埋設して、主に下方から上方に押圧する施療を行うようにしている。
【００３１】
前記足載せ部１３ａは、被施療者の人体脚部である脛部または足先部を夫々嵌入させる左右一対の凹部を夫々形成したものであり、各凹部に膨縮袋４ａを左右一対として対設するよう設けて、凹部内部で人体の脛部及び足先部に対する挟圧施療を実施するようにしている。
【００３２】
前記左右の肘掛け部１４ａの上部には、必要に応じて被施療者の人体手部や前腕を嵌入保持して施療するための凹部を形成する腕保持部１５ａを設ける事ができる。
【００３３】
図１の場合、前記腕保持部１５ａの内部において、上下に各膨縮袋４ａを夫々対設するよう設けて、凹部内部で被施療者の人体手部や前腕に対する挟圧施療を実施するようにしている。
【００３４】
前記左右の側壁部２ａは、座部１１ａに着座した施療者の肩または上腕側方となる位置に配設しており、該左右の側壁部２ａの内側面には夫々左右方向に重合した膨縮袋４ａを並列状態に埋設している。
【００３５】
これら重合した前記膨縮袋４ａ・４ａは、その基端部のみを側壁部２ａの基端部に取り付けているため、膨張時には重合した膨縮袋４ａ・４ａが扇状に広がって被施療者の身体側部を挟圧しつつ、身体前方まで覆うようになる。
【００３６】
よって、前記左右側壁部２ａの前記膨縮袋４ａは、膨縮動作により被施療者の身体側部を施療する事ができるだけでなく、一定の時間において膨張状態を保つようにした場合には、被施療者の身体が前記背凭れ部１２ａから離れないようにしっかりと保持する事ができ、被施療者の身体を固定したままの状態で前記施療子機構３ａの前記施療子３１ａによる背部からの施療を効果的に受ける事が可能となるのである。
【００３７】
図１に示すように、前述した本発明の椅子式施療機は、座部１１ａと肘掛け部１４ａとの間に着座した被施療者の大腿部を施療する大腿部施療機構５ａをさらに具備したものとしている。尚、該大腿部施療機構５ａは、被施療者の臀部側面も大腿部の延長上にあるため、これに対する施療をも包含した構成のものとしてもよい。
【００３８】
図４に示すように前記大腿部施療機構５ａは、フレーム５２０ａにおいて大腿部に向けて突出した大腿部施療体５１ａと、該大腿部施療体５１ａを回転施療駆動させつつ大腿部の長さ方向において移動させるためのモータを備えた駆動部５２ａとを設けている。
【００３９】
すなわち、この駆動部５２ａは、図５に示したように、該駆動部５２ａの駆動力が変速機５３ａに伝達され、次いで変速機５２１ａの変速回転に伴ってウォーム５２２ａ、ウォームホイール５２３ａ、ピニオン５２４ａが連鎖回転するようにしており、また該ピニオン５２４ａは、前記各肘掛け部１４ａの前後方向（被施療者の大腿部の長さ方向）においてそれぞれ延設する各ガイドレール５３ａの上面に設けたラック５２５ａと噛合している。
【００４０】
前記大腿部施療体５１ａは、ピニオン５２４ａの軸芯先端部に固設されているため、該ピニオン５２４ａと同期回転するようになっている。
【００４１】
また、前記フレーム５２０ａの最下部には、ガイドローラ５３１ａを前後に具備しており、該各ガイドローラ５３１ａ・５３１ａは、前記ガイドレール５３ａ内部において回転移動可能となっている。
【００４２】
よって、前記駆動部５２ａが駆動すると、前記ピニオン５２４ａが前記ラック５２５ａ上を回転移動することになり、これに追従して前記ガイドレール５３ａ内部の前記ガイドローラ５３１ａも回転移動する。
【００４３】
この時、前記ピニオン５２４ａの回転が直に前記大腿部施療体５１ａに伝達されることになり、その結果、図３に示すように、大腿部施療体５１ａは被施療者の大腿部の長さ方向において移動しながら回転施療を実施することができる独特の構成になっているのである。
【００４４】
さらに、本発明の椅子式施療機１ａは、図１０及び図１１に示すように前記大腿部施療機構５ａを大腿部の幅方向において移動させるよう構成したものとしている。
【００４５】
すなわち、前記ガイドレール５３ａを含めて前記大腿部施療機構５ａをフレームからなる揺動体６ａに装設し、該揺動体６ａを前記肘掛け部１４ａ内部から外部にかけて揺動するよう、肘掛け部１４ａの幅方向内側において揺動体６ａの下端に揺動軸６１ａを配すると共に、揺動体６ａが能動的に揺動するために進退機構６２ａを設けている。
【００４６】
尚、本実施形態では、前記進退機構６２ａとして、前記空気給排装置４１ａにより膨縮する膨縮袋を適用したものを例示している。
【００４７】
よって、図１１に示すように前記進退機構６２ａである膨縮袋が膨張すると、前記大腿部施療体５１ａは大腿部に向かって突出することになり、該大腿部施療体５１ａを被施療者の大腿部に所定の押圧力で常時圧接させながら、前記駆動部５２ａを駆動して前記ガイドレール５３ａ上を移動させると、該大腿部施療体５１ａは各被施療者の大腿部の太さや長さ方向における形状の個人差にそれぞれ適応して、効果的な施療を実施することができるのである。
【００４８】
尚、前記大腿部施療機構５ａは、図１２に示すように、前記揺動体６ａの揺動幅を拡大させて、前記大腿部施療機構５ａを使用しない時にこれを前記肘掛け部１４ａ内部に収納するよう構成してもよい。
【００４９】
さらに、前記大腿部施療機構５ａは、図１３に示すように前記肘掛け部１４ａの幅方向において揺動する揺動体６ａとしてもよい。すなわち、肘掛け部１４ａ前端に揺動軸６１ａを設け、進退機構（図示せず）により揺動軸６１ａを軸として、被施療者の大腿部側面に向かって揺動させることができる。
【００５０】
このように前記揺動軸６１ａを前記肘掛け部１４ａの前端に配設した設計は、前記足載せ部１３ａに形成した前記左右一対の凹部に被施療者の脛部が固定されるため、被施療者の大腿部の前方に位置する膝関節外側付近と前記大腿部施療体５１ａの出没する前記肘掛け部１４ａの内側面との離間における被施療者の個人差は、主に膝関節付近の太さに起因するものと考えられるため、比較的個人差幅は小さいものであるが、逆に被施療者の大腿部の後方においては、臀部周辺の体の造りにおける男女差や体質（肥満度）などに起因して、個人差幅はかなり大きくなるものと考えられるために設計されているものである。
【００５１】
また、上述してきた前記大腿部施療体５１ａは、以下に示すように様々な形態のものとすることができる。例えば図４に示すように前記大腿部施療体５１ａをボール形状とし、被施療者の大腿部表面を柔和に押圧施療することができようにすることができる。
【００５２】
さらに、図６に示すように、前記大腿部施療体５１ａの内部構成として、内層部に複数の硬質揉み玉５１１ａを配すると共に、その外層部にそれよりも比較的軟らかい軟質ボール体５１２ａを被覆することができる。
【００５３】
これによって、ある程度の押圧力では外層部による柔和な施療感を、それを超える押圧力では内層部による比較的強い指圧感を一つの大腿部施療体５１ａにて実現できる。
【００５４】
さらに、図７に示すように、前記硬質揉み玉５１１ａを非対称に配置すると、軟らかくしっかりと揉むような施療感をもたらすことになる。
【００５５】
また、前記大腿部施療体５１ａを図８に示すように偏心回転するよう構成してもよい。これにより、大腿部に対し摺擦施療を実施することができる。
【００５６】
さらに、図９に示すように前記大腿部施療体５１ａを傾斜回転するよう構成したものとすることができる。これにより図７に示す構成よりも比較的強い揉み施療を実施できる。
【００５７】
尚、図６乃至図９に示したものは、前記大腿部施療体５１ａの各形態のそれぞれの特徴を示したものであり、大腿部施療体５１ａがボール形状であることや偏心回転するよう構成すること、また、この大腿部施療体５１ａが傾斜回転するよう構成することについて、図示していないがそれぞれの特徴を適宜組み合わせて構成することができるものとしている。
【図面の簡単な説明】
【００５８】
【図１】本発明の椅子式施療機における椅子型の一実施形態を示す斜視図である。
【図２】本発明の椅子式施療機における椅子型の一実施形態を示す使用状態図である。
【図３】本発明の椅子式施療機の一実施形態を示す平面説明図である。
【図４】本発明の椅子式施療機における大腿部施療機構の一実施形態を示す平面説明図である。
【図５】本発明の椅子式施療機における大腿部施療機構の一実施形態を示す側面説明図である。
【図６】本発明の椅子式施療機における大腿部施療機構の大腿部施療体に関する一実施形態を示す破断説明図である。
【図７】本発明の椅子式施療機における大腿部施療機構の大腿部施療体の動作に関する一実施形態を示す破断説明図である。
【図８】本発明の椅子式施療機における大腿部施療機構の大腿部施療体の動作に関する一実施形態を示す破断説明図である。
【図９】本発明の椅子式施療機における大腿部施療機構の大腿部施療体の動作に関する一実施形態を示す破断説明図である。
【図１０】本発明の椅子式施療機における肘掛け部内部に設けた大腿部施療機構の一実施形態を示す正面破断説明図である。
【図１１】本発明の椅子式施療機における肘掛け部内部に設けた大腿部施療機構の突出動作に関する一実施形態を示す正面破断説明図である。
【図１２】本発明の椅子式施療機における大腿部施療機構を肘掛け部内部に収納させた状態の一実施形態を示す正面破断説明図である。
【図１３】本発明の椅子式施療機における肘掛け部内部に設けた大腿部施療機構の幅方向における揺動動作に関する一実施形態を示す平面説明図である。
【図１４】従来技術を示す参考図である。
【符号の説明】
【００５９】
１ａ  椅子式施療機
１１ａ  座部
１２ａ  背凭れ部
１３ａ  足載せ部
１４ａ  肘掛け部
１５ａ  腕保持部
２ａ  側壁部
３ａ  施療子機構
３１ａ  施療子
３２ａ  ガイドレール
４ａ  膨縮袋
４１ａ  空気給排装置
５ａ  大腿部施療機構
５１ａ  大腿部施療体
５１１ａ  硬質揉み玉
５１２ａ  軟質ボール体
５２ａ  駆動部
５２０ａ  フレーム
５２１ａ  変速機
５２２ａ  ウォーム
５２３ａ  ウォームホイール
５２４ａ  ピニオン
５２５ａ  ラック
５３ａ  ガイドレール
５３１ａ  ガイドローラ
６ａ  揺動体
６１ａ  揺動軸
６２ａ  進退機構
【図１】
0005142602.tif 000002
【図２】
0005142602.tif 000003
【図３】
0005142602.tif 000004
【図４】
0005142602.tif 000005
【図５】
0005142602.tif 000006
【図６】
0005142602.tif 000007
【図７】
0005142602.tif 000008
【図８】
0005142602.tif 000009
【図９】
0005142602.tif 000010
【図１０】
0005142602.tif 000011
【図１１】
0005142602.tif 000012
【図１２】
0005142602.tif 000013
【図１３】
0005142602.tif 000014
【図１４】
0005142602.tif 000015